(57)【要約】【課題】動作時に高いフレームレートの表示出力や色をもたらし、電力が取り除かれても表示情報を保持できるようにすること。【解決手段】紙のような処理に適した低電力高解像度のディスプレイを備えたマルチレイヤ入出力装置は、第１表示層、第２表示層、入力層及び制御論理部を含む。第１表示層は低電力ディスプレイである。第２表示層は、第１層の上に設けられた高速で透明なディスプレイである。入力層はユーザのしぐさや入力の動きを検出する層である。制御論理部は第１表示層、第２表示層及び入力層に結合され、本発明方法に従ってそれらの動作を制御する。本発明方法は、第２表示層を選択的に操作し、入力層で検出した動きを表示する。所定の時点で、第２表示層に表示されていた情報は、第１表示層に移されそこで表示される。【選択図】図５
2008197634.tif 000002
【特許請求の範囲】
【請求項１】
信号に応じて情報を表示することが可能な低電力ディスプレイを含み、情報が外側に表示される第１層と、
第２信号に応じて情報を表示する第２層と、
を有し、前記第２層は、選択的に透明になり、前記第１層の上に設けられ且つ前記第１層とは異なる表示特性を有する、情報を表示する装置。
【請求項２】
前記第１層が、低電力の紙状のディスプレイである又は電子ペーパーディスプレイである請求項１記載の装置。
【請求項３】
電源の入っていない状態では通常的に透明であるが、電源の入った状態では画素を個々に暗くすることができる材料で、前記第２層が形成されている請求項１記載の装置。
【請求項４】
ペンを用いた入力に応じて速やかなフィードバックをもたらすように、ディジタルインク画像の瞬時的な表示に備えて第２層が速やかに更新可能である請求項１記載の装置。
【請求項５】
前記第２層が、エレクトロクロミックディスプレイ又は透明な有機発光ダイオード(OLED)ディスプレイである請求項１記載の装置。
【請求項６】
動きを検出し、入力信号を生成する入力層を更に有する請求項１記載の装置。
【請求項７】
前記入力層が、前記第２層の上に設けられる請求項８記載の装置。
【請求項８】
前記入力層が、タッチセンサパネルである請求項１記載の装置。
【請求項９】
前記第１層及び前記第２層の動作を制御する制御部を更に有し、該制御部は、前記第１層及び前記第２層に結合され、第１信号及び第２信号を用意する請求項１記載の装置。
【請求項１０】
入力信号を受信し、前記第１層による情報の表示を制御する前記第１信号と、前記第２層を選択的にアクティブにする前記第２信号とを出力する制御部を更に有し、該制御部は、前記第１層、前記第２層及び前記入力層に結合されている請求項８記載の装置。
【請求項１１】
前記制御部が、前記第１層で表示された情報を前記第２層で表示されるように転送する請求項１０記載の装置。
【請求項１２】
前記第２層の前記異なる表示特性が、迅速に更新される特性である請求項１記載の装置。
【請求項１３】
前記第２層の前記異なる表示特性が、色を表示できる特性である請求項１記載の装置。
【請求項１４】
入力を受信するステップと、
前記入力に対応する情報を第２表示層で一時的に表示するステップと、
前記入力に対応する情報を第１表示層で表示するステップと、
を有するマルチレイヤ表示装置で情報を表示する方法。
【請求項１５】
前記情報を前記一時的に表示する前記ステップが、前記入力に対応する情報が前記第１表示層に表示されるまで実行される請求項１４記載の方法。
【請求項１６】
前記情報を前記一時的に表示する前記ステップが、所定の期間にわたって実行される請求項１４記載の方法。
【請求項１７】
前記情報を前記一時的に表示する前記ステップが、タッチセンサパネルが所定の期間にわたって触られなかった場合に実行される請求項１４記載の方法。
【請求項１８】
前記入力がディジタルインクであり、前記情報を前記一時的に表示する前記ステップが、前記第２層から前記第１層へ前記ディジタルインクが転送されるまで実行される請求項１４記載の方法。
【請求項１９】
前記第２層を非活性化するステップを更に有する請求項１４記載の方法。
【請求項２０】
入力を受信するステップに先立って、前記第１層に他の情報を表示するステップを更に有する請求項１４記載の方法。
【発明の詳細な説明】
【技術分野】
【０００１】
本発明は入力／出力装置に関連する。具体的には、本発明は紙のようなコンピュータ処理用の入力／出力装置に関連する。更に具体的には、本発明は紙のようなコンピュータ処理を行う低電力高解像度のディスプレイに関連する。
【背景技術】
【０００２】
携帯用コンピュータ装置の用途及び普及は益々拡大しつつある。特に、パーソナルディジタルアシスタント(PDA)、スマートフォン、タブレットコンピュータ、ディジタルカメラ、ビデオゲーム及びラップトップコンピュータ等のような多数の小型コンピュータ装置が存在し、それらは入力／出力装置を組み込んでいる。これらの入力／出力装置は、ペンやスタイラスを用いてユーザが装置と相互作用することを可能にし、情報や入力されるコマンド選択を提示するディスプレイを与える。例えば図１にはペンやスタイラス１０４及びコンピュータ装置１０２を含む従来システム１００が示されている。コンピュータ装置１０２は一般的な形式のタッチパネルを有し、タッチパネルはディスプレイ１０６及び触覚センサ入力部１０８を有する。しかしながらそのような装置に特有の問題の１つは、ディスプレイが典型的にはアクティブマトリクス液晶ディスプレイ(LCD)であり、LCDは大量の電力を必要とすることである（なぜなら、ディスプレイ中の各ピクセルの状態は、連続的な電力の印加によって維持される必要があるからである。）。また、多くの更なる電力が、LCDパネルのバックライトを照らすのに使用される。しばしば装置は携帯用であるので、電力消費は１つの関心事であり、現在の装置にとって深刻な問題である。
【０００３】
電気泳動(electrophoretic)ディスプレイと共に従来技術の電力消費の制約を解決しようとする従来なされている試みは、しばしば、電子ペーパー又は電子インクと呼ばれている。そのようなディスプレイに描かれた画像は、電力が取り除かれた後でさえ保存される、という利点を電気泳動ディスプレイは有する。画素を照らすバックライトを利用する従来のフラットパネルディスプレイとは異なり、電気泳動ディスプレイは、通常の紙のように光を反射し、電気を引かずに又は処理電力を使わずに文字や画像を保持することができる。そのような技術は電子書籍で非常に一般的である。なぜなら、ページをめくるのに電力を要するだけであり、ページ上の文字を読み取るには不要だからである。例えば、図２はそのような紙状のディスプレイ２０４を備えた装置２０２を示す。電気泳動ディスプレイは一般にモノクロである。電気泳動ディスプレイにカラーフィルタを付けることは、ディスプレイのコントラストや解像度をかなり削減してしまう。電気泳動ペーパー、電子インク又は他のゼロ電力ディスプレイ技法に関する別の問題は、そのディスプレイが、非常に素早くは更新できないことであり、動きのある映像速度をサポートできないことである。表示モードの多くはディスプレイ全体をリフレッシュすることを要し、それには長い時間がかかり、従ってリフレッシュレートを毎秒１フレーム未満に制限している。コンピュータの対話式ユーザインターフェースは、ユーザのリクエストに応答しなければならず、１秒より長い遅延はそのコンピュータを低速で応答できないように見せてしまい、場合によっては使用できないように見せてしまう。
【発明の開示】
【発明が解決しようとする課題】
【０００４】
本発明の課題は、動作時に高いフレームレートの表示出力や色をもたらし、電力が取り除かれても表示情報を保持できる装置及び方法を提供することである。
【課題を解決するための手段】
【０００５】
本発明は追加的な表示層と共に従来の欠点を克服しようとし、その表示層は、例えば、動作時に高いフレームレートの表示出力や色をもたらすが、電力が追加的な層から取り除かれた場合、電気泳動ディスプレイがそれを通じて提示することを許容する。電気泳動ディスプレイの低電力の利点と、一般のLED又はLCDディスプレイの高速フレームレートや有色性の利点とを結合するので、本発明の追加的な層は特に有利である。一実施例では、本発明によるシステムは、第１表示層、第２表示層、入力層及び制御論理部を含む。第１表示層は、電気泳動ディスプレイのような低電力ディスプレイである。第２表示層は高速で透明なディスプレイであり又はカラーディスプレイであり、電気泳動ディスプレイの上に設けられている。入力層はユーザによるジェスチャーや入力の動きを検出するための層である。一実施例では、入力層は、タッチスクリーンのように透明であり、２つの表示層の上に設けられる。一実施例では、入力層はワコム(Wacom)ブランドのタブレットのような表示層を介して機能し、双方の層の下に設けられる。一実施例では、タッチセンサがディスプレイの縁に沿って用意され、表面弾性波又はSAW技術等を利用した物理層を一切要しない。制御論理部(制御ロジック)は、第１表示層、第２表示層及び入力層に結合され、本発明方法に従ってそれらを制御する。本発明方法は、高速に変化しなければならない画像を表示するために第２表示層を選択的に操作し、その画像は、ビデオ画像や、ユーザ入力で駆動される動き等を含む。
【発明を実施するための最良の形態】
【０００６】
ここで説明される特徴及び利点は、全てを包含するものではなく、特に、多くの追加的な特徴や利点が詳細な説明及び図面から当業者に明らかになるであろう。更に、明細書で使用されている言葉は、読みやすさや説明の便宜上選択されているに過ぎず、本発明の範囲を限定しようとしているわけではないことに留意を要する。
【０００７】
以下、本発明が添付図面と共に非限定的な実施例により説明される。図中、同様な参照番号が同様な要素を指すのに使用されている。
【０００８】
情報を表示するマルチレイヤ入出力装置及び方法が説明される。以下の説明では、説明のため、多くの具体的詳細が説明され、本発明の十分な理解を促す。しかしながら、本発明はそのような具体的詳細によらず実施可能であることは当業者に明らかになるであろう。場合によっては、本発明を曖昧にすることを避けるため、構造や装置がブロック図形式で示される。本発明は例えば携帯用コンピュータ装置のディスプレイの実施例に関して主に説明されるが、本発明はディスプレイを必要とし且つ電力の節約が重要な如何なるコンピュータにも適用可能である。
【０００９】
本明細書における「一実施例」又は「実施例」は、その実施例に関して説明される特定の特質、構造又は特徴が、本発明の少なくとも１つの実施例に含まれることを意味する。本明細書の様々な場所で「一実施例」なる用語が使用されていることは、全て同じ実施例であることを必ずしも意味しているわけではない。
【００１０】
以下の詳細な説明の一部は、コンピュータメモリ内のデータビットを処理するアルゴリズム及び記号表現で与えられる。これらのアルゴリズムの説明及び表現は、データ処理技術分野の当業者が他の当業者に彼らの仕事内容を最も効率的に伝えるのに使用される手段である。ここで、アルゴリズムは一般に所望の結果に導く首尾一貫した一連のステップと考えられる。そのステップは物理量の物理的処理を必要とするものである。必須ではないが、通常それらの物理量は、格納、転送、結合、比較その他の処理を施すことの可能な電気的な又は磁気的な信号の形態をとる。原則的な一般的な用法の観点から、ビット、値、エレメント、シンボル、キャラクタ、期間、数等としてそれらの信号に言及することが折に触れて便利なことが分かる。
【００１１】
しかしながら、これらの及び類似の用語の全ては、適切な物理量に関連しており且つそれらの量に付された便宜的なラベルにすぎないことに留意を要する。特に断りのない限り、以下の説明から明らかなように、本説明を通じて、「処理」、「演算」、「計算」、「決定」又は「表示」等のような用語を用いる説明は、コンピュータシステム又は同様な電子コンピュータ装置の動作や処理に関連し、その動作や処理は、コンピュータシステムのレジスタ及びメモリの中で物理的な（電子的な）量として表現されるデータを、コンピュータシステムメモリやレジスタその他の情報ストレージ、伝送又は表示装置の中で物理量として同様に表現される他のデータに変換及び処理することが、理解されるであろう。
【００１２】
本発明はここで説明される処理を実行する装置にも関連している。その装置は、必要な目的に応じて特別に構築されてもよいし、コンピュータに格納されているコンピュータプログラムによって選択的にアクティブにされる又は再構成される汎用コンピュータで構築されてもよい。そのようなコンピュータプログラムはコンピュータ読取可能な記憶媒体に格納されてもよく、その記憶媒体は、限定ではないが、フロッピディスク、光ディスク、CD-ROM、磁気光ディスク、リードオンリメモリ(ROM)、ランダムアクセスメモリ(RAM)、EPROM、EEPROM、磁気又は光カード等の如何なるタイプのディスクを含んでもよいし、或いは電子的な命令を格納するのに指摘した如何なるタイプの媒体を含んでもよいし、ディスクも媒体もそれぞれコンピュータシステムバスに結合される。
【００１３】
最後に、ここで説明されるアルゴリズム及び表示は、特定のコンピュータその他の装置のどれにも固有に関連するものではない。様々な汎用システムがここで教示するものによるプログラムと共に使用されてよく、或いは、必要な方法ステップを実行するように、よりいっそう特化した装置を構築することが便利なことが分かるかもしれない。これら様々なシステムに必要な構造は以下の説明から明らかになるであろう。更に、本発明は特定のプログラミング言語のどれにも依存しない。ここで説明される本発明の教示内容を実現するのに様々なプログラミング言語が使用されてよいことが分かるであろう。
【００１４】
＜マルチレイヤディスプレイ＞
図３を参照するに、本発明によるマルチレイヤ入出力装置３０４の一実施例を含む装置３０２の例が示されている。この実施例では、装置３０２はタブレットパーソナルコンピュータのような携帯用コンピュータである。図３は装置３０２のブロック図を示し、その装置はマルチレイヤディスプレイ３０４を保持及び包囲する外部ハウジングを備えている。
【００１５】
以下、本発明は、タブレットコンピュータシステム３０２の観点から説明されるが、本実施例は説明のためだけに使用され、コンピュータシステムは如何なるコンピュータ装置でもよい（限定ではないが、例えば、移動電話、ＰＤＡ、ゲーム装置、カメラ、携帯用ビデオプレーヤ等でもよい。）。
更に、本発明は入出力装置として説明されるが、本発明は表示装置だけでもよいことを当業者は認識するであろう（その表示装置は、マウスタイプのコントローラのような何らかの他の組み込まれていない入力装置と協同する。）。
【００１６】
図３には示されていないが、別の実施例では装置３０２は次の１つ以上を含んでよいことを当業者は認識するであろう：それらは、制御部５１０、メモリ、キャッシュ、データストレージ、１つ以上の他の入出力(I/O)装置、無線トランシーバ、赤外線トランシーバ及びネットワークコントローラ等である。これらの要素（コンポーネント）は、セルラ電話、PDA又はスマートフォンのような装置の基本的機能を与えるように当業者に理解されているように、フォンノイマンアーキテクチャや同様なアーキテクチャのような従来の方式で共に結合されてもよい。
【００１７】
図４を参照するに、マルチレイヤディスプレイ３０４は第１表示層４０６、第２表示層４０４及び入力層４０２を有するように示されている。図４はマルチレイヤディスプレイ３０４の一部を断面図で示す。入出力装置３０４は、紙のような処理で使用するのに適した低電力高解像度のディスプレイを備えたマルチレイヤディスプレイ３０４をもたらすので特に有利である。図４に示されるように、一実施例では入力層４０２は第２ディスプレイ４０４の上に設けられ、装置３０２の最上面に最も近い。第２表示層４０４は、入力層と第１表示層４０６との間で入力層４０２の直下に設けられる。別の実施例では、入力層４０２は、第２表示層４０４及び第１表示層４０６双方の下にあってもよい。より具体的には、第１層上のどの層も電力が印加されていない場合、透明でなければならない。
【００１８】
第１表示層４０６は低電力ディスプレイである。第１表示層４０６は、信号に応答して情報を表示することが可能であり、情報が表示される表側を有する。第１表示層４０６は好ましくは低電力の又はゼロ電力の電気泳動ディスプレイである。一実施例では、第１表示層４０６は、電子ペーパーディスプレイ又は電気泳動ディスプレイ(EPD)であり、それらは例えばEインクコーポレーション（マサチューセッツ州ケンブリッジ）により製造販売されている。電子ペーパーは、通常の紙のように光を反射し、電気を引かなくても又はプロセッサを使用しなくても文字や画像を無期限に保持することができ、ディスプレイの画像を変更するときにだけ電力を要する。
【００１９】
一実施例では、第２表示層４０４は第１層上にも受けられた高速ディスプレイである。第２表示層４０４は電源を落としたときに透明であり、第２表示層が第１層４０６上に位置する場合、第１層４０６の情報が見えるようにする。電源を切った状態では通常的に透明であるが、電源の入った状態では個々の画素は暗くなっていたり輝いていたりする如何なる材料で第２表示層４０４が形成されてもよい。第２表示層４０４は、ディジタルインク画像の瞬間的な更新を可能にする。第２表示層４０４は、速やかに更新可能であり、入力のしぐさや動きが入力層４０２で検出された場合、迅速なフィードバックを行うことができるようにしている。一実施例では、第２表示層４０４は有色画像を表示できる。一実施例では、第２表示層４０４は、ビデオのような素早く変化する画像を表示することができる。この種のパネルの１例はエレクトロクロミックガラスであり、エレクトロクロミックガラスは、電気がかかっていると暗くなり、そうでなければ透明になる。一実施例では、第２表示層４０４は、例えばスウェーデンのAcreo  of  Kista社により製造販売されているエレクトロクロミックディスプレイである。別の実施例では、第２表示層４０４は、ドイツのFraunhofer  IPMS  of  Munich社により開発されているような透明な有機発光ダイオード(OLED)ディスプレイである。そのような透明なOLEDは、入力層４０２上におけるペン又はスタイラスの動きを反映するように非常に速やかに選択的に照明することができる。
【００２０】
別の実施例では、第２表示層４０４は圧力を感知可能な透明な材料層であり、圧力に応じて表示層が色を変えるようにする又は不透明になるようにする。本実施例では、表示層４０４を形成する材料は、ペンの動きが入力層４０２で検出されるように及び第１層４０６で表示されるようにするため、如何なる電力も要しないかもしれないし、或いは色を変える又は不透明にする数秒間の間だけ要するかもしれない。第２表示層４０４の別の実施例に唯一の条件は、第１層４０６に生じさせるための更新に十分な時間の間に不透明になる又は色が付けられることである。従って第２表示層４０４は、ユーザのペンの動きに対して速やかなフィードバックをもたらす機能を発揮し続け、電力を要しない又は制御部５１０の制御を受けてもよい。
【００２１】
入力層４０２は、ユーザのジェスチャー又は入力の動きを検出する層である。一実施例では、入力層４０２はタッチセンサパネルである。例えば、入力層４０２は５ワイヤ抵抗センサのようなタッチセンサでもよい。入力層４０２は、抵抗性の、容量性の又は表面波を利用した如何なるタッチセンサパネルでもよい。従って本発明は低電力化の利点を有するが、それでも、手動選択又はペン入力に対する視覚的な迅速なフィードバックをもたらす。
【００２２】
図５を参照するに、本発明によるマルチレイヤディスプレイ３０４の分解形式のブロック斜視図が示されている。図５は順に並んだ層４０２，４０４及び４０６をユーザの観点から示し、第２表示層４０４は入力層４０２及び第１表示層４０６の間に設けられている。図５は層４０２，４０４，４０６各々を制御部５１０に結合していることも示す。制御部５１０は信号線５０２により入力層４０２に結合され、入力層４０２で生成された信号を受信する。制御部５１０は信号線５０４により第２表示層４０４に結合され、操作に応じて選択的にアクティブにし、表示するデータを第２表示層４０４に送る。最後に制御部５１０は信号線５０６により第１表示層４０６に結合され、情報を送信し、コマンドを更新する。
【００２３】
制御部５１０は、算術演算論理部、マイクロプロセッサ、汎用コンピュータその他の何らかのプロセッサで構成され、それらは入力層４０２から及び他のソースから信号を受信し、第１層４０６及び第２表示層４０４に電子表示信号を与えるように備わっている。一実施例では、制御部５１０はグラフィカルユーザインターフェース(GUI)を有する汎用コンピュータで構成され、例えば、ウインドウズ(登録商標)又はユニックス(登録商標)を利用したオペレーティングシステムのようなオペレーティングシステムの上で走るジャバ(Java(登録商標))で書かれたプログラムでGUIは生成されてもよい。一実施例では、１つ以上のアプリケーションプログラムが制御部５１０によって実行され、そのアプリケーションプログラムは、限定ではないが、ワードプロセシングアプリケーション、電子メールアプリケーション、財務アプリケーション及びウェブブラウジングアプリケーション等を含んでよい。
【００２４】
制御部５１０は、第１表示層４０６、第２表示層４０４及び入力層４０２に結合され、本発明による方法に従ってそれらの動作を制御する。一実施例では、本発明方法は第２表示層４０４を選択的に操作し、入力層で検出された動きを表示する。所定の時点で、第２ディスプレイに表示された情報は、第１ディスプレイに移管されそこで表示される。例えば、最初のページが第１表示層４０６に表れる。ペン又はスタイラスが入力層４０２に当てられ、入力層４０２のタッチセンサを利用してペンの動きが測定される。その動きは制御部５１０により記録され、その動きにより捕捉された「ディジタルインク」は、それが記録されているように第２表示層４０４に表示される。透明な第２層４０４の個々の画素は、ペンが第２層の上を通過するのに合わせて切り替わる。ペン入力が完了し、ペンが装置３０２から外された後、ペンの動きによる画像は、第２表示層４０４から第１表示層４０２へ移管可能になり、第２表示層４０４はインアクティブになってもよい。第１層４０６は、他のタイプのディスプレイと比較して非常に僅かな電力しか必要とせず、第２層４０４はペンを持っている者に対する速やかなフィードバックをもたらすが、既存の従来のディスプレイのように定常的な電力供給は不要である。
【００２５】
＜方法＞
図６Ａを参照するに、紙状のディスプレイに映像を表示する方法例が示されている。ステップ６０４では、静的な画像が第１の電気泳動表示層４０６に示される。ビデオ又は動く画像のリクエストが受信される（ステップ６０６）。ステップ６０８では、第２層４０４が活性化され、又は第２層に電力が与えられる。ステップ６１０では、ビデオ又は一連の画像は、第１層４０６上の第２層４０４に表示される。ステップ６１２では、ビデオが終わったときに、第２層４０４は非活性化される又は電源が切られ、再び透明になる。
【００２６】
図６Ｂを参照するに、本発明によるマルチレイヤディスプレイ３０４に情報を表示する方法例が示されている。本方法は第１表示層４０６に情報を表示することから始まる（ステップ６２２）。次に本方法は、ペンを下げるイベントのようなペン入力を検出する（ステップ６２４）。本方法はペンの動きを検出し続ける（ステップ６２４）。それは入力層４０２による入力として受信され、制御部５１０に送信される。この入力に基づいて、本方法は第２表示層４０４をアクティブにし、その入力を表す「ディジタルインク」を表示し（ステップ６２８）、入出力装置３０２でのペン又はスタイラスの動きに関してユーザにフィードバックを与える。ステップ６２８は１つのステップとして図示されているが、第２表示層４０４の個々の画素は、入力層４０２で検出されるペンの追加的な動きに応じて表示状態を修正可能なことを当業者は理解するであろう。第２表示層４０４は非常に速い更新速度を有し且つ個々の画素を更新可能なので、ディスプレイは紙に書くことを再現する。本方法はペンを上げるイベントを検出する。別の実施例では、ペンを上げるイベントは、例えば数秒間のような所定の期間で置換することもできるし、第１表示層４０６の更新時間に合う別の時間で置換してもよい。ペンを上げるイベントが検出された後に、本方法は第１表示層４０６に「ディジタルインク」を表示し始める（ステップ６３０）。本方法は第２層４０４のディジタルインクを除去し、第２層を非活性化することに続く（ステップ６３２）。
【００２７】
図６Ｃを参照するに、低電力ディスプレイに有色画像を表示する例が示されている。ステップ６４２では、静的な画像が第１層４０６に表示されている。ステップ６４４では、第２表示層４０４にカラー画像を表示するリクエストが受信される。第２層４０４は活性化され（ステップ６４６）、カラー画像が第２層４０４に表示される（ステップ６４８）。カラー画像がもはや不要になった場合又はモノクロ画像が要求された場合（ステップ６５０）、第２表示層４０４は非活性化され、電源が切られ（ステップ６５２）、モノクロディスプレイ４０６が透明なカラー層４０４を通して眺められる。
【００２８】
以上、本発明の実施例の説明が理解を促すように与えられた。その説明は余すところのないものであることを意図するものではないし、本発明を開示された詳細な形態に限定しようとするものでもない。多くの修正や変形が上記の教示に照らして可能である。本発明の範囲は詳細な説明に限定されず、原則として本願の特許請求の範囲によってしか限定されないことが意図される。当業者に理解されるように、本発明の精神や本質的特徴から逸脱せずに、本発明は他の特定の形態で実施されてもよい。同様に、モジュール、ルーチン、特質、属性、方法その他の態様についての特定のネーミングや区分けは、必須でもなく重要でもない。本発明又はその特徴を実現する手段は、名称、区分け及び/又はフォーマットを様々に備えてよい。従って本発明に関する開示内容は、例示であることが意図されており、特許請求の範囲で規定される本発明の範囲を限定しようとするものではない。
【図面の簡単な説明】
【００２９】
【図１】入力／出力装置としての従来のLCDパネルを示す図である。
【図２】従来の紙状のディスプレイ装置を示す図である。
【図３】本発明による複数層の入力／出力装置例を示すブロック図である。
【図４】本発明による複数層の入力／出力装置例の部分断面図を示す。
【図５】本発明による複数層の入力／出力装置例の分解形式のブロック図である。
【図６Ａ】本発明による複数層の入力／出力装置で情報を表示するフローチャート例を示す。
【図６Ｂ】本発明による複数層の入力／出力装置で情報を表示するフローチャート例を示す。
【図６Ｃ】本発明による複数層の入力／出力装置で情報を表示するフローチャート例を示す。
【符号の説明】
【００３０】
１００  システム
１０２  コンピュータ装置
１０４  ペン／スタイラス
１０６  ディスプレイ
１０８  タッチセンサ入力
２０２  装置
２０４  紙状のディスプレイ
３０２  タブレットコンピュータシステム
３０４  マルチレイヤディスプレイ
４０２  入力層
４０４  第２表示層
４０６  第１表示層
５０２  制御部
【図１】
2008197634.tif 000003
【図３】
2008197634.tif 000004
【図４】
2008197634.tif 000005
【図６Ａ】
2008197634.tif 000006
【図６Ｂ】
2008197634.tif 000007
【図６Ｃ】
2008197634.tif 000008
【図２】
2008197634.tif 000009
【図５】
2008197634.tif 000010